(57)【要約】【課題】  リフォーム工事等の建築現場において、詳細が分らない内装材に関する製造・販売者や型番等の情報を調査し、特定することができる。【解決手段】  ユーザー端末において選択され、ユーザーが詳細情報を特定したい第１内装材の表面の画像である第１画像情報を取得する手段と、第１画像情報と、第２内装材の表面の画像である第２画像情報と第２内装材の製造・販売者情報と第２内装材の識別情報とを含む内装材特定情報を記憶する記憶手段に記憶される第２画像情報と、を比較することによって、第１画像情報と同一である又は類似すると評価できる第２画像情報に対応する製造・販売者情報及び識別情報を抽出する手段と、ユーザー端末に対し、抽出される製造・販売者情報及び識別情報を通知する手段と、を有する。【選択図】図２
2020149469.tif 000002
【特許請求の範囲】
【請求項１】
ユーザー端末において選択され、ユーザーが詳細情報を特定したい第１内装材の表面の画像である第１画像情報を取得する第１画像情報取得手段と、
前記第１画像情報と、第２内装材の表面の画像である第２画像情報と前記第２内装材の製造・販売者情報と前記第２内装材の識別情報とを含む内装材特定情報を記憶する内装材情報記憶手段に記憶される前記第２画像情報と、を比較することによって、前記第１画像情報と同一である又は類似すると評価できる前記第２画像情報に対応する前記製造・販売者情報及び前記識別情報を抽出する第２画像情報抽出手段と、
前記ユーザー端末に対し、前記第２画像情報抽出手段によって抽出される前記製造・販売者情報及び前記識別情報を通知する抽出情報通知手段と、を有することを特徴とする内装材特定装置。
【請求項２】
前記内装材特定情報が、前記第２内装材の種類を表す第２種類情報を含み、
前記第１画像情報取得手段が、前記第１内装材の種類を表す第１種類情報を取得し、
前記第２画像情報抽出手段が、前記第１種類情報と前記第２種類情報との関連性を条件にして、前記第１画像情報と同一である又は類似すると評価できる第２画像情報に対応する製造・販売者情報及び識別情報を抽出することを特徴とする請求項１に記載の内装材特定装置。
【請求項３】
前記第１画像情報が、前記第１内装材の表面を前記ユーザー端末が備える撮像装置によって撮影した画像情報であることを特徴とする請求項１又は２に記載の内装材特定装置。
【請求項４】
前記内装材特定情報が、前記第２内装材の販売価格情報を含み、
前記第２画像情報抽出手段が、前記第２画像情報に対応する前記販売価格情報を抽出し、
前記抽出情報通知手段が、前記ユーザー端末に対し、前記第２画像情報抽出手段によって抽出される前記販売価格情報を通知することを特徴とする請求項１乃至３の何れか一に記載の内装材特定装置。
【請求項５】
前記第２画像情報抽出手段が、前記第１内装材と共に使用することに適すると評価できる前記第２画像情報に対応する製造・販売者情報及び識別情報を抽出することを特徴とする請求項１乃至４の何れか一に記載の内装材特定装置。
【請求項６】
前記第１内装材及び前記第２内装材が、壁紙、床表面材、内装用フィルム材、内装塗装及び家具材の何れかであることを特徴とする請求項１乃至５の何れか一に記載の内装材特定装置。
【請求項７】
第１画像情報取得手段が、ユーザー端末において選択され、ユーザーが詳細情報を特定したい第１内装材の表面の画像である第１画像情報を取得するステップと、
第２画像情報抽出手段が、前記第１画像情報と、第２内装材の表面の画像である第２画像情報と前記第２内装材の製造・販売者情報と前記第２内装材の識別情報とを含む内装材特定情報を記憶する内装材情報記憶手段に記憶される前記第２画像情報と、を比較することによって、前記第１画像情報と同一である又は類似すると評価できる前記第２画像情報に対応する前記製造・販売者情報及び前記識別情報を抽出するステップと、
抽出情報通知手段が、前記ユーザー端末に対し、前記第２画像情報抽出手段によって抽出される前記製造・販売者情報及び前記識別情報を通知するステップと、を含む内装材特定方法。
【請求項８】
前記内装材特定情報が、前記第２内装材の種類を表す第２種類情報を含み、
前記第１画像情報取得手段が、前記第１内装材の種類を表す第１種類情報を取得し、
前記第２画像情報抽出手段が、前記第１種類情報と前記第２種類情報との関連性を条件にして、前記第１画像情報と同一である又は類似すると評価できる第２画像情報に対応する製造・販売者情報及び識別情報を抽出することを特徴とする請求項７に記載の内装材特定方法。
【請求項９】
前記第１画像情報が、前記第１内装材の表面を前記ユーザー端末が備える撮像装置によって撮影した画像情報であることを特徴とする請求項７又は８に記載の内装材特定方法。
【請求項１０】
前記内装材特定情報が、前記第２内装材の販売価格情報を含み、
前記第２画像情報抽出手段が、前記第２画像情報に対応する前記販売価格情報を抽出し、
前記抽出情報通知手段が、前記ユーザー端末に対し、前記第２画像情報抽出手段によって抽出される前記販売価格情報を通知することを特徴とする請求項７乃至９の何れか一に記載の内装材特定方法。
【請求項１１】
前記第２画像情報抽出手段が、前記第１内装材と共に使用することに適すると評価できる前記第２画像情報に対応する製造・販売者情報及び識別情報を抽出することを特徴とする請求項７乃至１０の何れか一に記載の内装材特定方法。
【請求項１２】
前記第１内装材及び前記第２内装材が、壁紙、床表面材、内装用フィルム材、内装塗装及び家具材の何れかであることを特徴とする請求項７乃至１１の何れか一に記載の内装材特定方法。
【請求項１３】
コンピューターに、請求項７乃至１２の何れか一に記載の方法を実行させるための内装材特定プログラム。
【発明の詳細な説明】
【技術分野】
【０００１】
壁紙・床表面材・内装用フィルム材・内装塗装・家具材など内装材の詳細情報を特定する技術に関する。
【背景技術】
【０００２】
近年、日本では総人口が減少傾向にあり、また、人口ピラミッドなど年齢別の人口構成から判断すると、移民受け入れ等の政策転換が成されない限り、今後もこの人口減少の傾向は、継続するものと考えられる。
【０００３】
従来我が国では、新築住宅の供給を主軸に住宅政策が進められてきたという側面がある一方、表面化しつつある住宅の空き家問題などを解消させるためにも、中古住宅流通の活性化を図る政策が推し進められようとしている。
【０００４】
そのような背景下、中古住宅を流通させる場合、既存住宅のリフォームは非常に重要な販売促進のツールであるため、その技術開発も盛んに行われている。例えば、特許文献１では、「一般消費者が抱えている住宅を含む建築物のインテリアデザイン、リフォーム計画等に関する真のニーズを把握して適切なコンサルティング情報を提供することができるインターネットを利用した内装企画計画支援システム」が提案されている。
【先行技術文献】
【特許文献】
【０００５】
【特許文献１】特許第４５９５０２６号公報
【発明の概要】
【発明が解決しようとする課題】
【０００６】
しかしながら、上記の従来技術においては、リフォーム工事等の建築現場において、既存の内装材を活用して工事を行おうとする場合、その既存の内装材の詳細情報を調査し、特定することができないという問題点があった。
【０００７】
そこで本発明では、上記問題点を鑑み、リフォーム工事等の建築現場において、詳細が分らない内装材に関する製造・販売者や型番等の情報を調査し、特定することができる内装材特定装置を提供することを目的とする。
【課題を解決するための手段】
【０００８】
開示する内装材特定装置の一形態は、ユーザー端末において選択され、ユーザーが詳細情報を特定したい第１内装材の表面の画像である第１画像情報を取得する第１画像情報取得手段と、前記第１画像情報と、第２内装材の表面の画像である第２画像情報と前記第２内装材の製造・販売者情報と前記第２内装材の識別情報とを含む内装材特定情報を記憶する内装材情報記憶手段に記憶される前記第２画像情報と、を比較することによって、前記第１画像情報と同一である又は類似すると評価できる前記第２画像情報に対応する前記製造・販売者情報及び前記識別情報を抽出する第２画像情報抽出手段と、前記ユーザー端末に対し、前記第２画像情報抽出手段によって抽出される前記製造・販売者情報及び前記識別情報を通知する抽出情報通知手段と、を有することを特徴とする。
【発明の効果】
【０００９】
開示する内装材特定装置は、リフォーム工事等の建築現場において、詳細が分らない内装材に関する製造・販売者や型番等の情報を調査し、特定することができる。
【図面の簡単な説明】
【００１０】
【図１】本実施の形態に係る内装材特定装置の概要を説明する図である。
【図２】本実施の形態に係る内装材特定装置の機能ブロック図である。
【図３】本実施の形態に係る内装材情報記憶手段を説明する図である。
【図４】本実施の形態に係る第１画像情報取得手段を説明する図である。
【図５】本実施の形態に係る第１画像情報の一例を示す図である。
【図６】本実施の形態に係る内装材特定装置のハードウエア構成例を示す図である。
【図７】本実施の形態に係る内装材特定装置による処理例の流れを示すフローチャートである。
【発明を実施するための形態】
【００１１】
図面を参照しながら、本発明を実施するための形態について説明する。
（本実施の形態に係る内装材特定装置の動作原理）
【００１２】
図１乃至５を用いて、本実施の形態に係る内装材特定装置（以下、単に「本装置」という。）１００の動作原理について説明する。図１は、本装置１００と周辺装置との関係を説明するための図であり、図２は、本装置１００の機能ブロック図である。図３乃至５は、本装置１００による処理内容を説明するための図である。
【００１３】
図１で示すように、本装置１００は、通信ネットワーク３６０を介して、ユーザー３３０が操作するユーザー端末３４０と接続される。通信ネットワーク３６０は、有線通信ネットワークであっても良く、無線通信ネットワークであっても良い。ユーザー端末３４０は、スマートフォンのような携帯情報端末やノートブック型・デスクトップ型のパーソナルコンピューターであっても良い。
【００１４】
本装置１００は、リフォーム工事等の建築現場において、既に施工済みであり、かつ、詳細が分らない内装材２９０に関する製造・販売者や型番等の情報を調査し、特定することができる。それによって、リフォーム工事の施行者等は、既存の内装材を活用して工事を行う場合など、リフォーム工事で使用する内装材を首尾よく発注することができる。
【００１５】
図２で示すように、本装置１００は、内装材情報記憶手段１１０、第１画像情報取得手段１２０、第２画像情報抽出手段１３０、抽出情報通知手段１４０を有する。なお、内装材情報記憶手段１１０は、必ずしも本装置１００が備えている必要はない。また、実施態様によっては、本装置１００とユーザー端末３４０とが同一の装置となる場合も想定される。
【００１６】
内装材情報記憶手段１１０は、商品見本である第２内装材２１０の表面２２０の画像である第２画像情報２４０、第２内装材２１０の種類を表す第２種類情報２７０、第２内装材２１０の製造・販売者情報２５０、第２内装材２１０の型番などの識別情報２６０、第２内装材２１０の販売価格情報２８０それぞれを関連付けて記憶する。なお、第２画像情報２４０、第２種類情報２７０、製造・販売者情報２５０、識別情報２６０、販売価格情報２８０を総称して内装材特定情報２３０という。また、内装材情報記憶手段１１０に記憶される内装材特定情報２３０は、第２内装材２１０を特定するための情報であれば、これら以外の属性の情報であっても良い。
【００１７】
第２内装材２１０は、例えば、壁紙、床表面材（床仕上げ材）、内装用フィルム材、内装塗装、家具材の何れか一つ以上を含む概念であり、第２種類情報２７０とは、その種類を特定する情報である。製造・販売者情報２５０とは、注文を受けることによって第２内装材２１０の提供を行う業者のことである。識別情報２６０とは、製造・販売者情報２５０に第２内装材２１０の注文を行うときに、注文品を特定するための情報である。販売価格情報２８０とは、第２内装材２１０の取引価格であり、その単位は特に限定しない。
【００１８】
図３で示すように、内装材情報記憶手段１１０は、個々の第２内装材２１０について、第２画像情報２４０、第２種類情報２７０、製造・販売者情報２５０、識別情報２６０、販売価格情報２８０それぞれを関連付けて記憶する。第２種類情報２７０は、例えば、“壁紙”、“床表面材”等であり、製造・販売者情報２５０は、“株式会社ＡＡＡ”、“株式会社ＢＢＢ”、“株式会社ＣＣＣ”等である。また、識別情報２６０は、“ＪＰＮ１００−００１”、“ＵＳＡ２００−００１”、“ＥＵ３００−００１”、“ＪＰＮ１００−１００”等であり、販売価格情報２８０は、“１００円（／ｍ２）”、“１５０円（／ｍ２）”、“２００円（／ｍ２）”、“３００円（／ｍ２）”等である。
【００１９】
第１画像情報取得手段１２０は、ユーザー端末３４０において選択され、ユーザー３３０が詳細情報を特定したい第１内装材２９０の表面３００の画像である第１画像情報３１０を取得する。
【００２０】
第１内装材２９０は、例えば、リフォーム工事等の建築現場において、既に施工済みであり、かつ、詳細情報が分らない内装材である。図４は、リフォーム工事等の建築現場を模式的に示す図である。図４で示すように、第１画像情報３１０は、第１内装材２９０である“壁紙（内装塗装、内装用フィルム材）”、“床表面材（床仕上げ材）”、“家具材”の表面をユーザー端末３４０が備える撮像装置３５０によって撮影した画像情報であっても良い。
【００２１】
また、第１内装材２９０は、例えば、インターネット上のＷＥＢサイト等に掲載されている内装材であり、かつ、詳細情報が分らない内装材であっても良い。このとき、第１画像情報３１０は、そのＷＥＢサイト等に掲載されている内装材の表面の画像情報であっても良い。
【００２２】
第１画像情報取得手段１２０は、第１画像情報３１０と共に、第１画像情報３１０に対応する第１内装材２９０の種類を表す第１種類情報３２０を取得する形態としても良い。第１内装材２９０は、例えば、壁紙、床表面材（床仕上げ材）、内装用フィルム材、内装塗装、家具材の何れか一つ以上を含む概念であり、第１種類情報３２０は、その種類を特定する情報である。
【００２３】
図５は、第１画像情報３１０の一例を示す図である。図４及び５で示すように、第１画像情報取得手段１２０は、例えば、撮像装置３５０によって壁紙表面を撮影した“菱形ドット模様”の第１画像情報３１０と共に、“壁紙”とする第１種類情報３２０を取得する。
【００２４】
第２画像情報抽出手段１３０は、第１画像情報３１０及び第２画像情報２４０を比較することによって、第１画像情報３１０と同一である又は類似すると評価できる第２画像情報２４０を特定する。さらに、第２画像情報抽出手段１３０は、特定した第２画像情報２４０に対応する内装材特定情報２３０を抽出する。
【００２５】
第１画像情報３１０に類似すると評価できるとは、第１画像情報３１０に関する第１内装材２９０と共に使用することに適すると評価できるということを含む概念であり、共に使用することに適するとは、その内容を適宜定めることができる。また、第１画像情報３１０に関する第１内装材２９０と共に使用することに適すると評価できる第２内装材２１０（に関する第２画像情報２４０）について、第１種類情報３２０と第２種類情報２７０とが異なっていても良い。
【００２６】
第２画像情報抽出手段１３０は、第１種類情報３２０と第２種類情報２４０との関連性を条件にして、第１画像情報３２０と同一である又は類似すると評価できる第２画像情報２４０に対応する内装材特定情報２３０を抽出する形態としても良い。第１種類情報３２０と第２種類情報２４０との関連性を条件にしてとは、第１種類情報３２０及び第２種類情報２４０が一致するもの及び／又は所定の類似関係にあるものを比較処理の対象とする形態、第１種類情報３２０及び第２種類情報２４０が予め定める所定の関係にあるものを比較処理の対象とする形態等が想定される。
【００２７】
図３及び５で示すように、第２画像情報抽出手段１３０は、例えば、内装材情報記憶手段１１０の最上段に掲載される第２画像情報２４０及びこれに対応する内装材特定情報２３０として製造・販売者情報２５０：“株式会社ＡＡＡ”、識別情報２６０：“ＪＰＮ１００−００１”、販売価格情報２８０：“１００円”を抽出する。また、第２画像情報抽出手段１３０は、例えば、内装材情報記憶手段１１０の最下段に掲載される第２画像情報２４０及びこれに対応する内装材特定情報２３０として製造・販売者情報２５０：“株式会社ＡＡＡ”、識別情報２６０：“ＪＰＮ１００−１００”、販売価格情報２８０：“３００円”も抽出する。
【００２８】
ここで、第２画像情報抽出手段１３０が、例えば、第１種類情報３２０：“壁紙”と第２種類情報２４０：“壁紙”、“床表面材”との一致性を比較条件とする場合を考える。そのとき、第２画像情報抽出手段１３０は、内装材情報記憶手段１１０の最上段に掲載される第２画像情報２４０及びこれに対応する内装材特定情報２３０として製造・販売者情報２５０：“株式会社ＡＡＡ”、識別情報２６０：“ＪＰＮ１００−００１”、販売価格情報２８０：“１００円”のみを抽出する。
抽出情報通知手段１４０は、ユーザー端末３４０に対し、第２画像情報抽出手段１３０によって特定・抽出される内装材特定情報２３０を通知する。
【００２９】
上記動作原理に基づいて本装置１００は、リフォーム工事等の建築現場において、詳細が分らない内装材２９０に関する製造・販売者や型番等の情報を調査し、特定することができる。
（本実施の形態に係る内装材特定装置のハードウエア構成）
【００３０】
図６を用いて、本装置１００のハードウエア構成例について説明する。図６は、本装置１００のハードウエア構成の一例を示す図である。図６で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、表示装置４７０、記録媒体Ｉ／Ｆ４８０を有する。
【００３１】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３２】
補助記憶装置４４０は、基本ソフトウエアであるＯＳ（Operating System）や本実施の形態に係るアプリケーションプログラムなどを、関連するデータとともに記憶する装置である。補助記憶装置４４０は、記憶手段１１０を含み、例えば、ＨＤＤ（Hard Disc Drive）やフラッシュメモリなどである。
【００３３】
通信Ｉ／Ｆ４５０は、有線・無線ＬＡＮ（Local Area Network）、インターネットなどの通信ネットワーク３４０に接続し、通信機能を提供する他装置とデータの授受を行うためのインターフェースである。
【００３４】
入力装置４６０は、キーボードなど本装置１００にデータ入力を行うための装置である。表示装置（出力装置）４７０は、ＬＣＤ（Liquid Crystal Display）等で構成される装置であり、本装置１００が有する機能をユーザーが利用する際や各種設定を行う際のユーザーインターフェースとして機能する装置である。記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３５】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係る内装材特定装置による処理例）
図７を用いて、本装置１００による処理例の流れを説明する。図７は、本装置１００による処理例の流れを示すフローチャートである。
【００３６】
Ｓ１０で第１画像情報取得手段１２０が、ユーザー端末３４０において選択される第１画像情報３１０であって、ユーザー３３０が詳細情報を特定したい第１画像情報３１０を取得する。
【００３７】
図４で示す例において、第１画像情報３１０は、第１内装材２９０である“壁紙（内装塗装、内装用フィルム材）”、“床表面材（床仕上げ材）”、“家具材”の表面をユーザー端末３４０が備える撮像装置３５０によって撮影した画像情報である。
【００３８】
また、第１内装材２９０は、例えば、インターネット上のＷＥＢサイト等に掲載されている内装材であり、かつ、詳細情報が分らない内装材であっても良い。このとき、第１画像情報３１０は、そのＷＥＢサイト等に掲載されている内装材の表面の画像情報であっても良い。
【００３９】
Ｓ１０において、第１画像情報取得手段１２０は、第１画像情報３１０と共に、第１画像情報３１０に対応する第１内装材２９０の種類を表す第１種類情報３２０を取得する形態としても良い。第１内装材２９０は、例えば、壁紙、床表面材（床仕上げ材）、内装用フィルム材、内装塗装、家具材の何れか一つ以上を含む概念であり、第１種類情報３２０は、その種類を特定する情報である。
【００４０】
図４及び５で示す例において、第１画像情報取得手段１２０は、撮像装置３５０によって壁紙表面を撮影した“菱形ドット模様”の第１画像情報３１０と共に、“壁紙”とする第１種類情報３２０を取得する。
【００４１】
Ｓ２０で第２画像情報抽出手段１３０が、Ｓ１０において取得した第１画像情報３１０と、内装材情報記憶手段１１０に記憶される第２画像情報２４０と、を比較する。
【００４２】
図３及び５で示す例において、第２画像情報抽出手段１３０は、第１画像情報３１０：“菱形ドット模様”と、内装材情報記憶手段１１０に記憶される第２画像情報２４０：“菱形ドット模様”（壁紙）、“左上がり斜線模様”、“煉瓦模様”、…、“菱形ドット模様”（床表面材）、…１つ１つと、を比較する。
【００４３】
ここで、Ｓ１０において第１画像情報取得手段１２０が、第１画像情報３１０に対応する第１内装材２９０の種類を表す第１種類情報３２０を取得している場合を想定する。このとき、Ｓ２０で第２画像情報抽出手段１３０が、第１種類情報３２０と第２種類情報２４０との一致性を条件にして、Ｓ１０において取得した第１画像情報３１０と、内装材情報記憶手段１１０に記憶される第２画像情報２４０と、を比較する。
【００４４】
図３及び５で示す例において、第２画像情報抽出手段１３０は、第１種類情報３２０：“壁紙”と一致する第２種類情報２４０を備える第２画像情報２４０に処理対象を限定した上で、第１画像情報３１０：“菱形ドット模様”と、内装材情報記憶手段１１０に記憶される第２画像情報２４０：“菱形ドット模様”（壁紙）、“左上がり斜線模様”、“煉瓦模様”、…１つ１つと、を比較する。
【００４５】
Ｓ３０で第２画像情報抽出手段１３０が、Ｓ２０における比較処理の結果、第１画像情報３１０と同一である又は類似すると評価できる第２画像情報２４０を特定し、特定した第２画像情報２４０に対応する内装材特定情報２３０を抽出する。
【００４６】
図３及び５で示す例において、第２画像情報抽出手段１３０は、内装材情報記憶手段１１０の最上段に掲載される第２画像情報２４０及びこれに対応する内装材特定情報２３０として製造・販売者情報２５０：“株式会社ＡＡＡ”、識別情報２６０：“ＪＰＮ１００−００１”、販売価格情報２８０：“１００円”を抽出する。また、第２画像情報抽出手段１３０は、内装材情報記憶手段１１０の最下段に掲載される第２画像情報２４０及びこれに対応する内装材特定情報２３０として製造・販売者情報２５０：“株式会社ＡＡＡ”、識別情報２６０：“ＪＰＮ１００−１００”、販売価格情報２８０：“３００円”も抽出する。
【００４７】
一方で、Ｓ１０において第１画像情報取得手段１２０が、第１画像情報３１０に対応する第１内装材２９０の種類を表す第１種類情報３２０を取得している場合を想定する。このとき、Ｓ２０で第２画像情報抽出手段１３０が、第１種類情報３２０と第２種類情報２４０との一致性を条件にしたＳ２０における比較処理の結果、第１画像情報３２０と同一である又は類似すると評価できる第２画像情報２４０に対応する内装材特定情報２３０を抽出する。
【００４８】
図３及び５で示す例において、第２画像情報抽出手段１３０は、第１種類情報３２０：“壁紙”と第２種類情報２４０：“壁紙”、“床表面材”との一致性を比較条件とする場合を考える。そのとき、第２画像情報抽出手段１３０は、内装材情報記憶手段１１０の最上段に掲載される第２画像情報２４０及びこれに対応する内装材特定情報２３０として製造・販売者情報２５０：“株式会社ＡＡＡ”、識別情報２６０：“ＪＰＮ１００−００１”、販売価格情報２８０：“１００円”のみを抽出する。
Ｓ４０で抽出情報通知手段１４０が、ユーザー端末３４０に対し、Ｓ３０において特定・抽出された内装材特定情報２３０を通知する。
【００４９】
上記のような処理に基づいて、本装置１００は、リフォーム工事等の建築現場において、詳細が分らない内装材２９０に関する製造・販売者や型番等の情報を調査し、特定することができる。
【００５０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５１】
１００  内装材特定装置
１１０  内装材情報記憶手段
１２０  第１画像情報取得手段
１３０  第２画像情報抽出手段
１４０  抽出情報通知手段
２１０  第２内装材
２２０  第２内装材の表面
２３０  内装材特定情報
２４０  第２画像情報
２５０  第２内装材の製造・販売者情報
２６０  第２内装材の識別情報
２７０  第２内装材の第２種類情報
２８０  第２内装材の販売価格情報
２９０  第１内装材
３００  第１内装材の表面
３１０  第１画像情報
３２０  第１内装材の第１種類情報
３３０  ユーザー
３４０  ユーザー端末
３５０  ユーザー装置が備える撮像装置
３６０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記憶媒体インターフェース
４９０  記憶媒体
【図１】
2020149469.tif 000003
【図２】
2020149469.tif 000004
【図３】
2020149469.tif 000005
【図４】
2020149469.tif 000006
【図５】
2020149469.tif 000007
【図６】
2020149469.tif 000008
【図７】
2020149469.tif 000009